(57)【要約】【課題】建築後において車椅子による移動に都合の良いスロープを屋内に設ける。【解決手段】一階に備えられた部屋Ｖを被介護者用室Ｖ’とし得るようにしてあり、この部屋Ｖを構成する間仕切り壁２０に沿って外壁１０との間に屋内土間Ｍを備えており、この屋内土間Ｍにおける一側部側に当該屋内土間Ｍへの出入り口１１ｄを、他側部側の間仕切り壁２０に前記部屋Ｖへの出入り口２１ｄをそれぞれ備えており、この各出入り口１１ｄ、２１ｄ間の屋内土間Ｍに勾配が８分の１から２５分の１の範囲内にある傾斜部Ｓ’を備えたスロープＳを設け得るように構成した。【選択図】図１
2006200329.tif 000002
【特許請求の範囲】
【請求項１】
被介護者用室にすることのできる少なくとも一つの部屋を一階に備えていると共に、
この被介護者用室として用い得る部屋を構成する間仕切り壁に沿って外壁との間に通路状の屋内土間を備えており、
この屋内土間における一側部側に当該屋内土間への出入り口を、他側部側の間仕切り壁に前記部屋への出入り口をそれぞれ備えていると共に、
この各出入り口間の前記屋内土間に勾配が８分の１から２５分の１の範囲内にある傾斜部を連続状態または非連続状態に備えるスロープを設け得るようにしてあることを特徴とする住宅。
【請求項２】
前記屋内土間が、被介護者用室として用い得る部屋の二辺をなすＬ字状に屈曲した間仕切り壁に沿って外壁との間にＬ字状に屈曲して構成されていることを特徴とする請求項１に記載の住宅。
【請求項３】
被介護者用室にすることのできる少なくとも一つの部屋を一階に備えていると共に、
この被介護者用室として用い得る部屋を構成する間仕切り壁に沿って外壁との間に通路状の広縁及び当該広縁への上がり下り用の土間を備えており、
この上がり下り用土間に当該土間への出入り口を、前記広縁における当該土間と反対の側にある間仕切り壁に前記部屋への出入り口をそれぞれ備えていると共に、
前記広縁を撤去した各出入り口間の土間部に勾配が８分の１から２５分の１の範囲内にある傾斜部を連続状態または非連続状態に備えるスロープを設け得るようにしてあることを特徴とする住宅。
【請求項４】
前記広縁が、被介護者用室として用い得る部屋の二辺をなすＬ字状に屈曲した間仕切り壁に沿って外壁との間にＬ字状に屈曲して構成されていることを特徴とする請求項３に記載の住宅。
【発明の詳細な説明】
【技術分野】
【０００１】
この発明は、被介護者用の居住空間、典型的には、被介護者用寝室等の部屋が必要とされた際に、車椅子によって容易に外部から当該被介護者用室に出入りのできるスロープを構成し得ると共に、当該スロープを必要としない生活環境下にあっては、快適な生活空間としての屋内土間や広縁として用い得るようにしてある住宅の提供に関する。
【背景技術】
【０００２】
居住用の住宅における玄関は、接客の応対や、住宅からの出入りのために履き物を履いたり脱いだりする場や、外出用のコート類の着脱等をなす場として設けてあり、当該機能を奏し得る広さを備えたものとして設計、建築されている。
【０００３】
この結果、一般的な住宅に備えられる玄関は比較的小さなスペース内に、玄関フロアーに上がるための比較的大きな段差を備えていることが通例である。
【０００４】
設計、建築時における構成居住者に最適とされていた当該玄関機能であっても、構成居住者に被介護者を生じた場合、この玄関における玄関土間と玄関フロアー間に備えられる段差が当該被介護者の介護において大きな障害となる場合が通例であった。
【０００５】
このような玄関において、被介護者を玄関土間と玄関フロアー間に移動させるための種々の工夫が試みられているが、玄関そのもののスペースが小さく、その割に段差が大きいことから、被介護者を当該玄関土間と玄関フロアー間を容易に移動する設備を設け難い傾向にあった。
【０００６】
特に、被介護者が自走車椅子に乗ったままで容易に住宅から出入りしたり、被介護者を介助用車椅子に乗せたままの状態で容易に住宅から出入りさせるためには適度の勾配を備えたスロープを当該玄関土間部分と玄関フロアー部分間に設ける必要があるものの、この適度の勾配を有するスロープを効果的に玄関に設置し得るスペースは、前記事情から、通例玄関には備えられていない。
【０００７】
かかる点から、本出願人は特許文献１に示される被介護者室付き住宅を提案している。
【０００８】
この特許文献１の被介護者室付き住宅にあっては、被介護者室と、この被介護者室に至るスロープとが前もって用意されており、屋内土間への出入り口に連続した下方踊り場部と被介護者室の出入り口に連続している上方踊り場との間にスロープを設け、被介護者が単独で、あるいは、また、介助者の介助のもとで当該スロープを用いて容易に被介護者室と室外、特に、住宅の外との間を移動できるように提案している。
【０００９】
しかしながら、設計、建築時において被介護者が存在せず、しかも、被介護者の介護の予測さいも無いような場合にあっては、前記スロープ部分の効果的な使用に難があり、住宅全体の使い勝手を損なう不具合を生ずる危惧が認められる。
【特許文献１】特開２００３−１３８７６２
【発明の開示】
【発明が解決しようとする課題】
【００１０】
この発明が解決しようとする主たる課題は、建築後において被介護者を車椅子を用いて移動するために必要とされる適切なスロープ等を設備するための大掛かりな修繕をする必要が無く、また、不要になった被介護者のための専用のスロープ部分の改修をする必要が無く、必要とされた際に、低コストで容易に車椅子用のスロープを設置でき、また、必要に応じて当該設置スロープを容易に撤去して効果的な居住空間として用い得る住宅の提供にある。
【課題を解決するための手段】
【００１１】
前記各課題を解決するために第１の発明は、被介護者用室にすることのできる少なくとも一つの部屋を一階に備えていると共に、
この被介護者用室として用い得る部屋を構成する間仕切り壁に沿って外壁との間に通路状の屋内土間を備えており、
この屋内土間における一側部側に当該屋内土間への出入り口を、他側部側の間仕切り壁に前記部屋への出入り口をそれぞれ備えていると共に、
この各出入り口間の前記屋内土間に勾配が８分の１から２５分の１の範囲内にある傾斜部を連続状態または非連続状態に備えるスロープを設け得るようにしてあることを特徴とする住宅としてある。
【００１２】
このように構成される住宅では、当該住宅の建築時において、各種目的に対応使用可能な屋内土間を有しており、土間を用いた各種の作業、例えば、インナーテラスとしてガーデニングの場として用いたり、庭園作業の下準備、庭園作業後における後処理等の各種の屋外作業に伴う前処理や後処理の場として効果的に用いることができる。また、かかる屋内土間は自転車やオートバイの修理、清掃等のメンテナンスの場として用いたり、餅つき等の大きな動作空間を要する作業の場として用いることができる。また、かかる屋内土間は各種工作などのように切り出し屑等によって散らかされる作業空間として効果的に用いることができる。
【００１３】
また、この屋内土間は、この屋内土間に隣り合う部屋における居住性を当該屋内土間空間によって緩やかにする傾向を有しており、通例、この屋内土間に隣り合う部屋の居住性を高めるように機能する。
【００１４】
かかる屋内土間に必要に応じてスロープを設け、この車椅子によって出入りし得る部屋を被介護者用室として用い得ることから、この被介護者用室に対する被介護者の車椅子による出入りを当該屋内土間に設置される８分の１から２５分の１の勾配の傾斜面からなるスロープを用いてなすことができる。
【００１５】
また、かかる車椅子による出入りは、雨風に晒されることのない前記スロープを用いて安全になすことができる。
【００１６】
また、かかる設置スロープは、当該スロープの設置の必要性が無くなった時点で容易に撤去することができ、随時、必要に応じて屋内土間に変更することができる。
【００１７】
また、前記屋内土間が、被介護者用室として用い得る部屋の二辺をなすＬ字状に屈曲した間仕切り壁に沿って外壁との間にＬ字状に屈曲して構成される構成の住宅にあっては、被介護者用室として用い得る部屋が比較的小さい場合にあっても前記勾配のスロープを設けることができる。
【００１８】
ついで、前記各課題を解決するために第２の発明は、被介護者用室にすることのできる少なくとも一つの部屋を一階に備えていると共に、
この被介護者用室として用い得る部屋を構成する間仕切り壁に沿って外壁との間に通路状の広縁及び当該広縁への上がり下り用の土間を備えており、
この上がり下り用土間に当該土間への出入り口を、前記広縁における当該土間と反対の側にある間仕切り壁に前記部屋への出入り口をそれぞれ備えていると共に、
前記広縁を撤去した各出入り口間の土間部に勾配が８分の１から２５分の１の範囲内にある傾斜部を連続状態または非連続状態に備えるスロープを設け得るようにしてあることを特徴とする住宅としてある。
【００１９】
このように構成される住宅では、当該住宅の建築時において、各種目的に対応使用可能な広縁を有しており、当該広縁を各種の作業、例えば、各自の部屋においてなし難い作業、釣り竿等の長尺物の取り扱い、冬季における盆栽類の置き場所や幼児童の遊び場等として効果的に用いることができる。
【００２０】
また、かかる広縁は、この広縁に隣り合う部屋における居住性を当該広縁のなす空間によって緩やかにする傾向を有しており、通例、この広縁に隣り合う部屋の居住性を高めるように機能する。
【００２１】
かかる広縁を必要に応じて撤去すると共に、撤去後の土間部にスロープを設け、このスロープによって出入りし得る部屋を被介護者用室として用い得ることから、この被介護者用室に対する被介護者の車椅子による出入りを当該土間部に設置される８分の１から２５分の１の勾配の傾斜面からなるスロープを用いてなすことができる。
【００２２】
また、かかる車椅子による出入りは、雨風に晒されることのない前記スロープを用いて安全になすことができる。
【００２３】
また、かかる設置スロープは、当該スロープの設置の必要性が無くなった時点で容易に撤去することができ、随時、必要に応じて広縁に変更することができる。
【００２４】
また、前記広縁が、被介護者用室として用い得る部屋の二辺をなすＬ字状に屈曲した間仕切り壁に沿って外壁との間にＬ字状に屈曲して構成される構成の住宅にあっては、被介護者用室として用い得る部屋が比較的小さい場合にあっても当該広縁を撤去して前記勾配のスロープを設けることができる。
【発明の効果】
【００２５】
この発明にかかる住宅は、建築時において屋内土間や広縁として有効に活用するようにしてある屋内空間を、随時、必要に応じて、被介護者用室として用いられる部屋から被介護者が車椅子を用いて容易に出入りし得る勾配のスロープを設置可能な空間とし、当該空間に設置されたスロープを用いて被介護者自身で、あるいは、介助者の介助のもとで被介護者が車椅子で移動し得るようにしてあり、また、当該スロープを必要としなくなった際に、容易に屋内土間や広縁に復元することができる。
【発明を実施するための最良の形態】
【００２６】
以下、図１〜図１７にもとづいて当該発明を実施するための最良の各形態について説明する。
【００２７】
ここで図１〜図８は当該発明を実施するための最良の形態に係る典型的な第１の住宅Ｗを示している。図１では、当該住宅Ｗの要部を水平向きで断面した状態を、図２では図１におけるＡ−Ａ線矢視の縦断面を、図３では同Ｂ−Ｂ線矢視の縦断面を、図４では、同Ｃ−Ｃ線矢視の縦断面を、図５では、同Ｄ−Ｄ線矢視の縦断面を、図６では、スロープＳを設置した状態の当該住宅Ｗの要部を水平向きで断面した状態を、図７では、この図６におけるＥ−Ｅ線矢視の縦断面を、図８では、同Ｆ−Ｆ線矢視の縦断面をそれぞれ示している。
【００２８】
ついで図９〜図１７は当該発明を実施するための最良の形態に係る典型的な第２の住宅Ｗを示している。図９では、当該住宅Ｗの要部の水平向きで断面した状態を、図１０では図９におけるＧ−Ｇ線矢視の縦断面を、図１１では図９におけるＨ−Ｈ線矢視の縦断面を、図１２では、同広縁Ｎを撤去した状態を水平向きで断面した状態を、図１３では、図１２におけるＩ−Ｉ線矢視の縦断面を、図１４では、図１２におけるＪ−Ｊ線矢視の縦断面を、図１５では、スロープＳを設けた状態の要部を水平向きで断面して、図１６では、図１５におけるＫ−Ｋ線矢視の縦断面を、図１７では、この図１５におけるＬ−Ｌ線矢視の縦断面をそれぞれ示している。
【００２９】
まず、当該発明を実施するための最良の形態に係る典型的な第１の発明に係る住宅Ｗは、
被介護者用室Ｖ’にすることのできる少なくとも一つの部屋Ｖを一階に備えていると共に、
この被介護者用室Ｖ’として用い得る部屋Ｖを構成する間仕切り壁２０に沿って外壁１０との間に通路状の屋内土間Ｍを備えており、
この屋内土間Ｍにおける一側部側に当該屋内土間Ｍへの出入り口１１ｄを、他側部側の間仕切り壁２０に前記部屋Ｖへの出入り口２１ｄをそれぞれ備えていると共に、
この各出入り口１１ｄ、２１ｄ間の前記屋内土間Ｍに勾配が８分の１から２５分の１の範囲内にある傾斜部Ｓ’を連続状態または非連続状態に備えるスロープＳを設け得るように構成してある。
【００３０】
かかる屋内土間Ｍの備えられている住宅Ｗにあって、当該屋内土間Ｍに対して必要に応じてスロープＳを設け、このスロープＳによって出入りし得る部屋Ｖを被介護者用室Ｖ’として用い得ることから、この被介護者用室Ｖ’に対する被介護者の車椅子による出入りを当該屋内土間Ｍに設置される８分の１から２５分の１の勾配の傾斜部Ｓ’を備えるスロープＳを用いてなすことができる。
【００３１】
なお、ここで被介護者用室Ｖ’とは、被介護者が居住する室を総称するものであって、被介護者が寝起きする寝室としてはもとより、被介護者用のリビングとして用いられる場合等種々の形態のもとで用いられる場合を含むものである。
【００３２】
また、かかる被介護者用室Ｖ’は、介護を要すべき人の数や、用い得る部屋数等によって、１個のものとして用意し、あるいは複数個のものとして用意される。
【００３３】
また、屋内土間Ｍに備えられるスロープＳは、一連に連続した勾配の傾斜部Ｓ’として備えられていても良く、また、適宜、当該傾斜部Ｓ’に水平状態の踊り場Ｓ”等を併存させた状態で備えられていてもよい。
【００３４】
なお、ここで出入り口１１ｄと、出入り口２１ｄ間に備えられるスロープＳは当該スロープＳを用いた車椅子の移動、より具体的には、被介護者本人による当該車椅子による移動や、介助者による当該被介護者の車椅子による移動を、極力短い屋内土間Ｍによって構成し得るように、当該スロープＳにおける傾斜部Ｓ’を、８分の１から２５分の１の範囲内の勾配、より好ましくは、１０分の１から２０分の１の範囲内の勾配のものとしてある。
【００３５】
このスロープＳを構成する傾斜部Ｓ’の勾配を８分の１よりも強くした場合、当該スロープＳを用いた車椅子による移動に難を生ずる傾向を示し、また、この傾斜部Ｓ’の勾配を２５分の１よりも緩やかに構成した場合、住宅Ｗに占める屋内土間Ｍが大きくなりすぎ、居住の快適性が損なわれる傾向を示す。
【００３６】
このように構成される住宅Ｗでは、当該住宅Ｗの建築時において、各種目的に対応使用可能な屋内土間Ｍを有しており、土間を用いた各種の作業、例えば、インナーテラスとしてガーデニングの場として用いたり、庭園作業の下準備、庭園作業後における後処理等の各種の屋外作業に伴う前処理や後処理の場として効果的に用いることができる。また、かかる屋内土間Ｍは、自転車やオートバイの修理、清掃の場等のメンテナンスの場として用いたり、餅つき等の大きな動作空間を要する作業の場として用いることができる。また、かかる屋内土間Ｍは各種工作などのように切り出し屑等によって散らかされる作業空間として効果的に用いることができる。
【００３７】
また、この屋内土間Ｍは、この屋内土間Ｍに隣り合う部屋Ｖにおける居住性を当該屋内土間空間によって緩やかにする傾向を有しており、通例、この屋内土間Ｍに隣り合う部屋Ｖの居住性を高めるように機能する。
【００３８】
また、かかる車椅子による出入りは、雨風に晒されることのない前記スロープＳを用いて安全になすことができる。
【００３９】
また、かかる設置スロープＳは、当該スロープＳの設置の必要性が無くなった時点で容易に撤去することができ、随時、必要に応じて屋内土間Ｍに変更することができる。
【００４０】
また、前記屋内土間Ｍが、被介護者用室Ｖ’として用い得る部屋Ｖの二辺をなすＬ字状に屈曲した間仕切り壁２０ａ、２０ｂに沿って外壁１０との間にＬ字状に屈曲して構成される構成の住宅Ｗにあっては、被介護者用室Ｖ’が比較的小さい場合にあっても前記勾配のスロープＳを設けることができる。
【００４１】
ついで、当該第２の発明に係る住宅Ｗは、被介護者用室Ｖ’にすることのできる少なくとも一つの部屋Ｖを一階に備えていると共に、
この被介護者用室Ｖ’として用い得る部屋Ｖを構成する間仕切り壁２０に沿って外壁１０との間に通路状の広縁Ｎ及び当該広縁Ｎへの上がり下り用の土間Ｎａを備えており、
この上がり下り用土間Ｎａに当該土間Ｎａへの出入り口１１ｄを、前記広縁Ｎにおける当該土間Ｎａと反対の側にある間仕切り壁２０に前記部屋Ｖへの出入り口２１ｄをそれぞれ備えていると共に、
前記広縁Ｎを撤去した各出入り口１２ｄ、２１ｄ間の土間部Ｍ’に勾配が８分の１から２５分の１の範囲内にある傾斜部Ｓ’を連続状態または非連続状態に備えるスロープＳを設け得るようにしてある。
【００４２】
なお、ここで住宅Ｗを構成する広縁Ｎは、いかなる形態の広縁Ｎであっても良く、和室の外側に備えられている幅広の縁側に限定されること無く、居室の外側にあって縁側的に用い得る各種形態の比較的幅の広い縁側を総称するものである。
【００４３】
このように構成される住宅Ｗでは、当該住宅Ｗの建築時において、各種目的に対応使用可能な広縁Ｎを有しており、当該広縁Ｎを各種の作業、例えば、各自の部屋においてなし難い作業、釣り竿等の長尺物の取り扱い、冬季における盆栽類の置き場所や幼児童の遊び場等として効果的に用いることができる。
【００４４】
また、かかる広縁Ｎは、この広縁Ｎに隣り合う部屋Ｖにおける居住性を当該広縁Ｎのなす空間によって緩やかにする傾向を有しており、通例、この広縁Ｎに隣り合う部屋Ｖの居住性を高めるように機能する。
【００４５】
かかる広縁Ｎを必要に応じて撤去すると共に、撤去後の土間部Ｍ’にスロープＳを設け、このスロープＳによって出入りし得る部屋Ｖを被介護者用室Ｖ’として用い得ることから、この被介護者用室Ｖ’に対する被介護者の車椅子による出入りを当該土間部Ｍ’に設置される８分の１から２５分の１の勾配の傾斜部Ｓ’、より好ましくは、１０分の１から２０分の１の勾配の傾斜部Ｓ’ を備えたスロープＳを用いてなすことができる。
【００４６】
このスロープＳを構成する傾斜部Ｓ’の勾配を８分の１よりも強くした場合、当該スロープＳを用いた車椅子による移動に難を生ずる傾向を示し、また、このスロープＳの勾配を２５分の１よりも緩やかに構成した場合、住宅Ｗに占める広縁Ｎが大きくなりすぎ、居住の快適性が損なわれる傾向を示す。
【００４７】
また、かかる車椅子による出入りは、雨風に晒されることのない前記スロープＳを用いて安全になすことができる。
【００４８】
また、かかる設置スロープＳは、当該スロープＳの設置の必要性が無くなった時点で容易に撤去することができ、随時、必要に応じて広縁Ｎに変更することができる。
【００４９】
また、前記広縁Ｎが、被介護者用室Ｖ’として用い得る部屋Ｖの二辺をなすＬ字状に屈曲した間仕切り壁２０に沿って外壁１０との間にＬ字状に屈曲して構成される構成の住宅Ｗにあっては、被介護者用室Ｖ’が比較的小さい場合にあっても当該広縁Ｎを撤去して前記勾配のスロープＳを設けることができる。
【００５０】
まず、図１〜図８で示される住宅Ｗについて具体的に説明する。
【００５１】
この典型的な住宅Ｗは、被介護者用室Ｖ’にすることのできる少なくとも一つの部屋Ｖを一階に備えていると共に、
この被介護者用室Ｖ’として用い得る部屋Ｖを構成する間仕切り壁２０に沿って外壁１０との間に通路状の屋内土間Ｍを備えており、
この屋内土間Ｍにおける一側部側に当該屋内土間Ｍへの出入り口１１ｄを、他側部側の間仕切り壁２０に前記被介護者用室Ｖ’とされる部屋Ｖへの出入り口２１ｄをそれぞれ備えていると共に、
この各出入り口１１ｄ、２１ｄ間の前記屋内土間Ｍに勾配が８分の１から２５分の１の範囲内にある傾斜部Ｓ’を連続状態または非連続状態に備えるスロープＳを設け得るように構成してある。
【００５２】
この典型的な住宅Ｗにあっては、将来、被介護者用室Ｖ’として用い得る部屋Ｖを用意してあり、この部屋Ｖは、被介護者が介護を受けながら生活をするに十分な広さを備えたものとしてある。
【００５３】
そして、この被介護者用室Ｖ’として用い得る部屋Ｖを構成する二辺の間仕切り壁２０ａ、２０ｂに沿ってＬ字状をなすように屋内土間Ｍが外壁１０との間に備えられている。そして、このＬ字状をなす屋内土間Ｍの一側部側の外壁１０ａに当該屋内土間Ｍへの出入り口１１ｄを、他側部側の間仕切り壁２０ｂに前記被介護者用室Ｖ’として用い得る部屋Ｖへの出入り口２１ｄをそれぞれ備えており、この各出入り口１１ｄ、２１ｄ間に、随時、必要に応じて、車椅子によって移動可能なスロープＳを構成し得るようにしてある。なお、スロープＳを設置していない状態における当該屋内土間Ｍには、例えば、式台５０を用意し、この式台５０を用いて当該屋内土間Ｍから前記被介護者用室Ｖ’として用い得る部屋Ｖへ出入り口２１ｄから容易に出入りし得るようにしてある。
【００５４】
かかるＬ字状をなす屋内土間Ｍを構成する外壁１０ａ、１０ｂは前記被介護者用室Ｖ’として用い得る部屋Ｖに対する当該屋内土間Ｍからの出入り口２１ｄ側にある外壁１０ｃに連続されている。そして、この外壁１０ｃと前記外壁１０ａ間に備えられている間仕切り壁２０ｃと当該間仕切り壁２０ｃから順次に連続されている前記間仕切り壁２０ａ及び間仕切り壁２０ｂ並びに外壁１０ｃによって前記被介護者用室Ｖ’とされる部屋Ｖが設けてあり、この間仕切り壁２０ｃにサニタリースペース、リビングルーム等への通路をなす出入り口２１ｃを引き戸２２ｃを備えた状態で設けてある。
【００５５】
かかる被介護者用室Ｖ’とされる部屋Ｖを構成する外壁１０ｃに備えられている開口は引き戸１２ｃの備えられた窓１１ｃとしてあると共に、前記屋内土間Ｍに沿っている各間仕切り壁２０ａ、２０ｂに備えられた各開口は引き戸２２ａ、２２ｂの備えつけられた掃き出し窓２１ａ、２１ｂとして構成してある。そして、前記屋内土間Ｍを構成する外壁１０ａ、１０ｂには、要所に開口が設けてあり、この開口に引き戸１２ａ、１２ｂを備えつけて掃き出し窓１１ａ、１１ｂとしてある。また、この屋内土間Ｍを構成する外壁１０ａには、引き戸１２ｄを備えた当該屋内土間Ｍへの出入り口１１ｄが設けてある。
【００５６】
かかる屋内土間Ｍを構成する外壁１０ａ、１０ｂと間仕切り壁２０ａ、２０ｂに備えられる掃き出し窓１１ａ、１１ｂ、２１ａ、２１ｂは、この屋内土間ＭにスロープＳを設置した際に、この各掃き出し窓１１ａ、１１ｂ、２１ａ、２１ｂが当該スロープＳよりも下方において開口することの無いように、掃き出し窓１１ａ、１１ｂ、２１ａ、２１ｂを構成する各サッシ枠の下枠材が前記設置スロープＳよりも上方に位置するように設けてある。
【００５７】
また、この屋内土間Ｍを構成する外壁１０ａ、１０ｂと間仕切り壁２０ａ、２０ｂには、当該外壁１０ａ、１０ｂと間仕切り壁２０ａ、２０ｂとの間にスロープＳを設置した際に、この設置されたスロープＳの使用時に必要とされるキックプレート１３を前もって備え付けて構成してある。
【００５８】
かかるキックプレート１３は、当該屋内土間ＭにスロープＳを設置した際に、このスロープＳを移動する車椅子のフットレスト等の突き当たり得る位置に備えられており、例えば、木質系パネル、タイル等によって構成してある。
【００５９】
なお、この図示例にあっては、屋内土間Ｍへの出入り口１１ｄの備えられている外壁１０ａの屋外部分をポーチＰとして構成してあり、このポーチＰから同面の状態で当該屋内土間Ｍの土間面が構成してある。
【００６０】
このように被介護者用室Ｖ’として用い得る部屋Ｖにおける間仕切り壁２０ａ、２０ｂに沿って備えられる屋内土間Ｍを、当該屋内土間Ｍを用いて、前記出入り口１１ｄ、２１ｄ間に、勾配が８分の１から２５分の１の範囲内にある傾斜部Ｓ’を連続状態または非連続状態に設け得る構成としてあり、より、好ましくは、勾配が１０分の１から２０分の１の範囲内にある傾斜部Ｓ’を連続状態または非連続状態に設け得る構成としてある。
【００６１】
かかる被介護者用室Ｖ’として用い得る部屋Ｖを備えた住宅Ｗにあって、当該部屋Ｖを被介護者用室Ｖ’とするには、前記構成の屋内土間Ｍに所定のスロープ設備を備え付けることで容易に対応することができる。
【００６２】
かかる屋内土間Ｍに設置されるスロープＳは、いかなる形態に構成してあっても、また、いかなる素材によって構成してあってもよい。かかるスロープＳは、例えば、現場において、束立て、床組、仕上げの各処理をなすようにしてあっても、また、仕上げ処理の施されたスロープ構成ユニットを用意して当該スロープ構成ユニットを屋内土間Ｍの土間面に敷設するようにして構成してあっても、更に、箱状に構成されたスロープ構成ユニットを屋内土間Ｍの土間面に敷設した後当該敷設ユニットに表面仕上げ処理を施すようにしてあってもよい。
【００６３】
この図示例にあっては、当該スロープＳの典型例としてスロープ構成ユニット３０によるスロープＳの構成が示されており、前記ポーチＰと同面に構成されている出入り口１１ｄに連続する水平な第１の踊り場部Ｓ”ａと、この第１の踊り場部Ｓ”ａから当該住宅Ｗの出隅部に備えられているコーナー用の水平な第２の踊り場部Ｓ”ｂと、被介護者用室Ｖ’として用い得る部屋Ｖの出入り口２１ｄの前方にあって、当該被介護者用室Ｖ’と同面をなすように水平に構成されている第３の踊り場部Ｓ”ｃとを備えており、この各踊り場部Ｓ”ａ、Ｓ”ｂ、Ｓ”ｃと当該各踊り場部Ｓ”ａ、Ｓ”ｂ、Ｓ”ｃ間とを前記スロープ構成ユニット３０によって構成してあり、この各踊り場部Ｓ”ａ、Ｓ”ｂ、Ｓ”ｃ間を構成するスロープ部分が８分の１から２５分の１の勾配をなすようにしてある。
【００６４】
なお、前記各踊り場部Ｓ”ａ、Ｓ”ｂ、Ｓ”ｃは、当該水平状態の床面を備える踊り場部Ｓ”において車椅子の向きの変更や、休憩をなし得るに適した大きさを備えたものとして用意してある。
【００６５】
なお、この図示例にあっては、ポーチからの円滑な出入りの点から、第１の踊り場部Ｓ”ａは土間面をそのまま用いており、この第１の踊り場部Ｓ”ａから、第２の踊り場部Ｓ”ｂに向けて、また、当該第２の踊り場部Ｓ”ｂから第３の踊り場部Ｓ”ｃに向けて、それぞれ前記勾配のスロープ面をなすように各傾斜部構成ユニット３０ａが組み付けられると同時に前記各踊り場部Ｓ”ａ、Ｓ”ｂ、Ｓ”ｃを構成する踊り場部構成ユニット３０ｂを組み付けて各踊り場部Ｓ”ａ、Ｓ”ｂ、Ｓ”ｃ間に傾斜部Ｓ’を備えたスロープＳを構成する。
【００６６】
かかるスロープ構成ユニット３０は、例えば、床下地を支える大引３２や束３３及び床板３１等を備えて、前記屋内土間Ｍの幅内に都合良く収まる幅を備えた構成としてあり、当該各ユニット３０ａ、３０ｂを順次に組み付け、組み外し可能としてある。
【００６７】
なお、図中ｘは土間面レベルを、ｙは被介護者用室Ｖ’をなす部屋Ｖの床面レベルを示しており、仮想線ｚは設置されるスロープＳの床面を示している。
【００６８】
このように屋内土間Ｍに設置されたスロープＳを用いることによって、この図示例にあっては、屋外ポーチＰから車椅子によって無理なく屋内に構成されている第１の踊り場部Ｓ”ａに被介護者を移動することができる。そして、この第１の踊り場部Ｓ”ａにおいて車椅子の向きを変更すると共に第２の踊り場部Ｓ”ｂに向けて当該車椅子を被介護者が乗っている状態で移動することができる。更に、この第２の踊り場部Ｓ”ｂにおいて車椅子の向きを変更すると共に第３の踊り場部Ｓ”ｃに向けて当該車椅子を被介護者が乗っている状態で移動することができる。そして、この第３の踊り場部Ｓ”ｃにおいて車椅子の向きを変更すると共に被介護者の乗っている車椅子を被介護者用室Ｖ’に移動することができる。
【００６９】
また、被介護者用室Ｖ’から屋外に向けた被介護者を乗せた車椅子の移動を前記と逆の手順によって容易且つ確実になすことができる。
【００７０】
なお、前記勾配のスロープＳを被介護者用室Ｖ’と屋外との連絡通路として構成することによって、介助者による車椅子を用いた被介護者の移動を容易になすことができる。また、被介護者自身によって当該被介護者用室Ｖ’と屋外間の行き来が可能とされる。
【００７１】
このように設置されているスロープＳは、当該スロープＳを用いる必要が解消されて、当該住宅Ｗに被介護者が存在しなくなった場合、このスロープＳを取り外して、本来の屋内土間Ｍに復元したり、あるいは、当該空間を利用して広縁Ｎを構成して用いるようにすることができる。
【００７２】
なお、前記図示例のスロープＳにあっては、当該スロープＳを傾斜部Ｓ’と踊り場部Ｓ”ａ、Ｓ”ｂ、Ｓ”ｃとによって構成してあるが、踊り場部Ｓ”ａ、Ｓ”ｃと傾斜部Ｓ’とによって当該スロープＳを構成するようにしてあってもよい。
更に、前記被介護者用室Ｖ’に対する当該スロープＳの設置位置関係から、当該スロープＳを傾斜部Ｓ’のみによって構成するようにしてあってもよい。
【００７３】
ついで、図９〜図１７で示される住宅Ｗについて具体的に説明する。
この図９〜図１７において示される第２の発明に係る住宅Ｗは、被介護者用室Ｖ’にすることのできる少なくとも一つの部屋Ｖを一階に備えていると共に、
この被介護者用室Ｖ’として用い得る部屋Ｖを構成する間仕切り壁２０に沿って外壁１０との間に通路状の広縁Ｎ及び当該広縁Ｎへの上がり下り用の土間Ｎａを備えており、
この上がり下り用土間Ｎａに当該土間Ｎａへの出入り口１１ｄを、前記広縁Ｎにおける当該土間Ｎａと反対の側にある間仕切り壁２０に前記部屋Ｖへの出入り口２１ｄをそれぞれ備えていると共に、
前記広縁Ｎを撤去した各出入り口１１ｄ、２１ｄ間の土間部Ｍ’に勾配が８分の１から２５分の１の範囲内にある傾斜部Ｓ’、より好ましくは、勾配が１０の１から２０分に１の範囲内にある傾斜部Ｓ’を連続状態または非連続状態に備えるスロープＳを設け得るようにしてある。
【００７４】
この第２の発明に係る住宅Ｗにあっては、前記屋内土間Ｍを広縁Ｎとして構成した以外の構成を前記屋内土間Ｍを備えた住宅Ｗの構成と同一または実質的に同一の構成としてあり、当該広縁Ｎを撤去してスロープＳを設置して用いる際の構成を前記第１の発明における屋内土間Ｍの構成と同一または実質的に同一の構成としてあり、被介護者用室Ｖ’として用い得る部屋Ｖの構成も前記第１の発明における被介護者用室Ｖ’として用い得る部屋Ｖの構成と同一または実質的に同一の構成としてあり、同様にして用いることができる。
【００７５】
従って、前記第１の発明に係る住宅Ｗの構成と同一の構成または実質的に同一の構成部分には同一の番号を付して説明を省略する。
【００７６】
この第２の発明を構成する広縁Ｎにあっても、前記屋内土間Ｍにおけると全く同様に土間面から、当該土間面にスロープＳを設置した際に、当該スロープＳを利用する車椅子のフットレスト等が突き当たらないように所要高さ位置まで、木質系パネルやタイルの貼り込みをなして、前記第１の発明におけると同様のキックプレート１３を備えた構成としてある。
【００７７】
また、被介護者用室Ｖ’として用い得る部屋Ｖを構成するＬ字状に屈曲した間仕切り壁２０ａ、２０ｂと、当該間仕切り壁２０ａ、２０ｂに向き合って、この間仕切り壁２０ａ、２０ｂと共に広縁Ｎを構成する外壁１０ａ、１０ｂとに、それぞれ引き戸２２ａ、２２ｂ、１２ａ、１２ｂを備えた掃き出し窓２１ａ、２１ｂ、１１ａ、１１ｂを、当該被介護者用室Ｖ’とされる部屋Ｖの床面と同面をなすようにしてあり、この広縁Ｎの撤去後に設置されるスロープＳにおけるスロープ面が当該各掃き出し窓２１ａ、２１ｂ、１１ａ、１１ｂのサッシ枠の下枠材よりも上方に位置するように構成してある。また、被介護者用室Ｖ’として用い得る部屋Ｖへの出入り口２１ｄはほぼフラットに構成してあり、広縁Ｎと当該被介護者用室Ｖ’として用い得る部屋Ｖの床面が同面をなすように構成してある。
【００７８】
この住宅Ｗに備えられる広縁Ｎは、被介護者用室Ｖ’として用い得る部屋ＶにおけるＬ字状に連続している間仕切り壁２０ａ、２０ｂに沿って、当該間仕切り壁２０ａ、２０ｂに向き合っている外壁１０ａ、１０ｂとの間に備えられており、所謂、広縁Ｎとして用いられている。
【００７９】
かかる広縁Ｎは、当該住宅Ｗにおいて被介護者用室Ｖ’を、必要に応じて設置する際に容易に撤去し得るように構成してあることが好ましく、この図示例にあっては、張り込まれる床材４１の床下地を支える大引４２、束４３などによって所定高さに設置し得るように組み付けた複数個の広縁ユニット４０によって構成してある。
【００８０】
この広縁ユニット４０によって構成される広縁Ｎは、その上面がほぼ同面にしてあると共に、前記屋外のポーチＰから連続して同面をなすように広縁用土間Ｎａが設けてあり、前記外壁１０ａに備えられている当該広縁Ｎに対する出入り口１１ｄから当該土間Ｎａに出入りし得るように構成してある。
【００８１】
かかる広縁ユニット４０を、必要に応じて撤去し、この広縁Ｎの撤去された土間部Ｍ’に前記第１の発明におけると同一の方法で前記第１の発明に係る住宅Ｗと同一の構成のスロープＳを構成し、同一の態様で用いることができる。
【００８２】
また、前記第１の発明におけると同様に、設置した当該スロープＳが不要になった際に、この設置スロープＳを撤去することによって、屋内土間Ｍとし、あるいは、広縁Ｎとして用いることができる。
【図面の簡単な説明】
【００８３】
【図１】典型的な住宅の要部の平断面図
【図２】図１におけるＡ−Ａ矢視断面図
【図３】図１におけるＢ−Ｂ矢視断面図
【図４】図１におけるＣ−Ｃ矢視断面図
【図５】図１におけるＤ−Ｄ矢視断面図
【図６】同住宅にスロープを設置した状態を示す平断面図
【図７】図６におけるＥ−Ｅ矢視断面図
【図８】図６におけるＦ−Ｆ矢視断面図
【図９】典型的な他の住宅の要部の平断面図
【図１０】図９におけるＧ−Ｇ矢視断面図
【図１１】図９におけるＨ−Ｈ矢視断面図
【図１２】同住宅の広縁を撤去した状態の平断面図
【図１３】図１２におけるＩ−Ｉ矢視断面図
【図１４】図１２におけるＪ−Ｊ矢視断面図
【図１５】同住宅にスロープを設置した状態を示す平断面図
【図１６】図１５におけるＫ−Ｋ矢視断面図
【図１７】図１５におけるＬ−Ｌ矢視断面図
【符号の説明】
【００８４】
Ｗ  住宅
Ｖ  部屋
Ｖ’  被介護者用室
Ｍ  屋内土間
Ｍ’  土間部
Ｎ  広縁
Ｎａ  広縁土間
Ｓ  スロープ
Ｓ’  傾斜部
Ｓ”  踊り場部
１０  外壁
１１ｄ  出入り口
２０  間仕切り壁
２１ｄ  出入り口
【図１】
2006200329.tif 000003
【図２】
2006200329.tif 000004
【図３】
2006200329.tif 000005
【図４】
2006200329.tif 000006
【図５】
2006200329.tif 000007
【図６】
2006200329.tif 000008
【図７】
2006200329.tif 000009
【図８】
2006200329.tif 000010
【図９】
2006200329.tif 000011
【図１０】
2006200329.tif 000012
【図１１】
2006200329.tif 000013
【図１２】
2006200329.tif 000014
【図１３】
2006200329.tif 000015
【図１４】
2006200329.tif 000016
【図１５】
2006200329.tif 000017
【図１６】
2006200329.tif 000018
【図１７】
2006200329.tif 000019